(57)【要約】【課題】災害等で無線中継基地局や公衆電話網が機能しなくなった状況下で、被災した携帯者側の様子が判り、携帯者の捜索が可能な携帯端末装置の提供。【解決手段】無線中継基地局を介して公衆電話網に接続可能な携帯端末装置Ｂは、捜索用電波４１の発信指示が受信可能な受信器６と、端末側情報を取得する取得情報変調回路３と、受信器６または無線中継基地局を介して捜索用電波４１の発信指示を受けると、端末側情報を重畳した小出力の捜索用電波４１を発信する小電力発信器４とが組み付けられ、捜索者は、無線中継基地局や捜索用電波４１を介して伝送される端末側情報と、捜索用電波４１の到来方向およびその信号強度とに基づいて携帯者を捜索する。【選択図】        図３
2004282553.tif 000002
【特許請求の範囲】
【請求項１】
固有の機体番号を持ち、良好な通信状態が得られる無線中継基地局を選択して通信を行い、公衆電話網に接続可能な携帯端末装置に、
携帯者や端末周辺環境に係わる端末側情報を取得する情報取得手段と、
前記無線中継基地局を介して発信指示を受けると前記端末側情報を重畳した小出力の捜索用電波を発信する捜索用電波発信手段とを組み付け、
前記情報取得手段が取得し、前記無線中継基地局や前記捜索用電波を介して伝送される前記端末側情報と、
捜索する携帯端末装置の機体番号を基地局管理センターに知らせて提供される位置登録情報と、
前記捜索用電波の到来方向およびその信号強度とに基づいて捜索が成されることを特徴とする携帯端末装置。
【請求項２】
無線中継基地局と通信を行い、公衆電話網に接続可能な携帯端末装置に、
捜索用電波の発信指示を直接受けることが可能な発信指示取得手段と、
携帯者や端末周辺環境に係わる端末側情報を取得する情報取得手段と、
前記発信指示取得手段または前記無線中継基地局を介して前記発信指示を受けると前記端末側情報を重畳した小出力の前記捜索用電波を発信する捜索用電波発信手段とを組み付け、
前記情報取得手段が取得し、前記無線中継基地局や前記捜索用電波を介して伝送される前記端末側情報と、
前記捜索用電波の到来方向およびその信号強度とに基づいて捜索が成されることを特徴とする携帯端末装置。
【請求項３】
無線中継基地局と通信を行い、公衆電話網に接続可能な携帯端末装置に、
携帯者や端末周辺環境に係わる端末側情報を取得する情報取得手段と、
前記無線中継基地局を介して発信指示を受けると前記端末側情報を重畳した小出力の捜索用電波を発信する捜索用電波発信手段と、
前記無線中継基地局を介して受信指示を受けると、受信できた放送電波の周波数およびその信号レベルを取得する放送受信手段とを組み付け、
前記情報取得手段が取得し、前記無線中継基地局や前記捜索用電波を介して伝送される前記端末側情報と、
前記携帯端末装置から伝送された受信情報を解析して得られた端末位置情報と、
前記捜索用電波の到来方向およびその信号強度とに基づいて捜索が成されることを特徴とする携帯端末装置。
【請求項４】
前記端末側情報は、前記携帯端末装置のマイクが捉えた音響信号、前記携帯端末装置のカメラが撮影する映像信号、電池残量、および前記携帯端末装置の収容状態の内、少なくとも一つであることを特徴とする請求項１乃至請求項３の何れかに記載の携帯端末装置。
【請求項５】
放送電波に重畳させた起動信号を復調し、前記端末側情報を重畳した小出力の捜索用電波が発信可能な前記捜索用電波発信手段を前記起動信号に基づいて作動させる起動信号復調手段を組み付けたことを特徴とする請求項１乃至請求項４の何れかに記載の携帯端末装置。
【発明の詳細な説明】
【０００１】
【発明の属する技術分野】
本発明は、端末装置の携帯者や、端末装置を設置した車両の捜索が可能な携帯端末装置に関する。
【０００２】
【従来の技術】
盗難品（鞄、車両）の捜索、監禁被害者の捜索、または徘徊老人の捜索を行う場合には、場所を特定することが必須である。なお、場所を特定する技術として、特許文献１〜４が知られている。
【０００３】
（特許文献１の技術）
探査対象者が行方不明になると、探査者が位置探索センターシステムに探査対象者の識別情報を提供し、位置探索センターシステムはその識別情報に基づき探査対象者の探査対象者用携帯装置内のＰＨＳデータ通信機を特定し、それが交信したＰＨＳ基地局を割り出し、そのＰＨＳ基地局の通信可能領域を探査対象者の存在領域として出力する。
探査者が探査電波の受信機を携帯し、位置探索センターシステムが提供した領域に向かいその領域に到達したら探査対象者の探査対象者用携帯装置内のＰＨＳデータ通信機に電話をかけ探査電波発信機から探査電波を発信させこの電波の発信元を探査電波受信機を用いて探査する。
【０００４】
（特許文献２の技術）
探索者は、探索依頼を受けると、位置情報センタがステップＳＴ５において入手した位置探索用ＰＨＳ端末器の位置情報に示された場所まで移動し（ステップＳＴ９）、遠隔操作による位置探索用ＰＨＳ端末器のトランシーバモードへの移行を位置情報センタに依頼し（ステップＳＴ１３）、指向性の高いアンテナを駆使して位置探索用ＰＨＳ端末器の方向を確認し（ステップＳＴ１５）、位置探索用ＰＨＳ端末器が発する音や光を頼りに探す（ステップＳＴ１６）。
【０００５】
（特許文献３の技術）
基地局と移動体との間で電波による通信を行う移動体通信方式における移動体位置検出方式において、複数の基地局からの電波を移動体でそれぞれ受信し、予め求めておいた各基地局からの受信電界レベルの電界曲線を用いて各受信レベルに対応する移動体の存在し得る範囲を求め、各範囲の重なりから移動体の存在位置を検出する。
【０００６】
（特許文献４の技術）
ディファレンシャルＧＰＳ機能を有するＤＧＰＳ機能を有するＤＧＰＳ機能付ＰＨＳ端末と、ＤＧＰＳ機能付ＰＨＳ端末の位置情報を取得する位置情報取得装置と、これらを接続するＩＳＤＮ回線網と、既知の基準点に配置された基準点ＧＰＳ端末での測位データに基づいてＤＧＰＳ測位に必要な補正データを位置情報取得装置で算出し、この補正データをＩＳＤＮ回線網上で伝送されるＳｅｔ−  Ｕｐ情報の発サブアドレスに入れてＤＧＰＳ機能付きＰＨＳ端末から位置情報取得手段に送信する。
【０００７】
【特許文献１】
特開平１１−  ２６２０４６号公報（第１頁〜第８頁、図１）
【特許文献２】
特開２００２−  ２７１８５３号公報（第１頁〜第６頁、図２、図７）
【特許文献３】
特公平６−  ９３６５０号公報（第１頁〜第６頁、図３）
【特許文献４】
特開２０００−  １５６８８２号公報（第１頁〜第１３頁、図４）
【０００８】
【発明が解決しようとする課題】
上記特許文献１〜４の技術は、下記に示す課題を有する。
（特許文献１の課題）
探査者領域に到達し、探査対象者用携帯電話内のＰＨＳデータ通信機に電話をかけ、探査電波発信機から探査用電波を発信させてこの電波の発信元を、携帯した探査電波受信機を用いて探査する際に、探査対象者側の探査情報が少ないので、容易に探査対象者を見つけられない。
探査者は、探査対象者の現在の状態が判らない。
【０００９】
（特許文献２の課題）
騒音が大きく、照明が明るい場所では、探査用端末器で位置探索用ＰＨＳ端末器を上手く探査できない。
また、探索者は、位置探索用ＰＨＳ端末器の保有者の現在の状態が判らない。
【００１０】
（特許文献３の課題）
位置情報センタで用意するシステムが大規模になる。
複数の基地局の電波を受信できる場所に移動局がいないと移動局の位置を特定できない。
【００１１】
（特許文献４の課題）
ＧＰＳアンテナが大きいので、ＰＨＳ端末を携帯する際に嵩張る。
地下や建物の中では、ＧＰＳからの電波を受信できない。
ＧＰＳ受信は電力消費が多いのでバッテリの持ちが悪い。
探査者は、ＰＨＳ端末携帯者の現在の状態が判らない。
【００１２】
本発明の第１の目的は、捜索時に携帯者側の様子が判り、携帯者の捜索が容易な携帯端末装置の提供にある。
本発明の第２の目的は、災害等で無線中継基地局や公衆電話網が機能しなくなった状況下で、被災した携帯者側の様子が判り、携帯者の捜索が可能な携帯端末装置の提供にある。
本発明の第３の目的は、捜索時に携帯者側の様子が判り、且つ、基地局管理センターから情報を提供を受けることなく、携帯者を容易に捜索できる携帯端末装置の提供にある。
【００１３】
【課題を解決するための手段】
［請求項１について］
固有の機体番号を持ち、良好な通信状態が得られる無線中継基地局を選択して通信を行い、公衆電話網に接続可能な携帯端末装置は、情報取得手段と、捜索用電波発信手段とが組み付けられている。
【００１４】
情報取得手段は、携帯者や端末周辺環境に係わる端末側情報を取得する。この端末側情報は、無線中継基地局や捜索用電波を介して捜索者側へ伝送される。
捜索用電波発信手段は、無線中継基地局を介して発信指示を受けると端末側情報を重畳した小出力の捜索用電波を発信する。
【００１５】
下記に示す様に、捜索者は、携帯端末装置を携帯した携帯者を捜索する。
捜索者は、捜索する携帯端末装置の機体番号を基地局管理センターに知らせ、位置登録情報を基地局管理センターから提供してもらう。そして、基地局管理センターから提供された位置登録情報に基づいて携帯端末装置が存在する場所に捜索者が出向く。
【００１６】
出向く途中で、捜索者は、無線中継基地局を介して携帯端末装置と通信を行い、情報取得手段が取得した携帯者や端末周辺環境に係わる端末側情報を得る。
【００１７】
携帯端末装置が存在する場所に着くと、無線中継基地局を介して捜索者が発信指示を捜索用電波発信手段に出し、端末側情報を重畳した小出力の捜索用電波が携帯端末装置から発信される。
【００１８】
捜索用電波の到来方向およびその信号強度とに基づいて、携帯端末装置を携帯した携帯者を捜索する。なお、携帯者や端末周辺環境に係わる端末側情報に基づいて携帯者側の状態を把握する。
【００１９】
携帯端末装置は、情報取得手段が取得した携帯者や端末周辺環境に係わる端末側情報を無線中継基地局や捜索用電波を介して捜索者側へ伝送する構成であるので、捜索時に携帯者側の様子が判り、容易に携帯者を捜索することができる。
【００２０】
［請求項２について］
無線中継基地局と通信を行い、公衆電話網に接続可能な携帯端末装置は、捜索用電波の発信指示を直接受けることが可能な発信指示取得手段と、情報取得手段と、捜索用電波発信手段とが組み付けられている。
【００２１】
情報取得手段は、携帯者や端末周辺環境に係わる端末側情報を取得する。この端末側情報は、無線中継基地局や捜索用電波を介して捜索者側へ伝送される。
捜索用電波発信手段は、発信指示取得手段または無線中継基地局を介して発信指示を受けると端末側情報を重畳した小出力の捜索用電波を発信する。
【００２２】
下記に示す様に、捜索者は、携帯端末装置を携帯した携帯者を捜索する。
捜索者は、携帯端末装置を携帯した携帯者が居ると思われる場所に出向き、直接または無線中継基地局を介して発信指示を携帯端末装置に出す。
【００２３】
発信指示取得手段または無線中継基地局を介して発信指示を受けると、捜索用電波発信手段は、端末側情報を重畳した小出力の捜索用電波を発信する。
なお、発信指示取得手段は、発信指示情報が重畳された電波を受信する受信器以外に、発信指示情報が重畳した、音波（超音波も可）、光（赤外線も可）、または磁力から発信指示情報を再生可能な復調器であってもよい。
【００２４】
捜索用電波の到来方向およびその信号強度とに基づいて、携帯端末装置を携帯した携帯者を捜索する。なお、携帯者や端末周辺環境に係わる端末側情報に基づいて携帯者側の状態を把握する。
【００２５】
携帯端末装置は、捜索用電波の発信指示を直接受けることが可能な発信指示取得手段が組み付けられ、発信指示を受けると捜索用電波発信手段が端末側情報を重畳した小出力の捜索用電波を発信する構成である。
このため、災害等で無線中継基地局や公衆電話網が機能しなくなった状況下でも、携帯端末装置から捜索用電波を発信させることができ、携帯者の捜索が可能である。
【００２６】
また、情報取得手段が取得した携帯者や端末周辺環境に係わる端末側情報を捜索者側へ伝送する構成であるので、捜索時に携帯者側の様子が判り、容易に携帯者を捜索することができる。
【００２７】
［請求項３について］
無線中継基地局と通信を行い、公衆電話網に接続可能な携帯端末装置は、情報取得手段と、捜索用電波発信手段と、放送受信手段とが組み付けられている。
【００２８】
情報取得手段は、携帯者や端末周辺環境に係わる端末側情報を取得する。この端末側情報は、無線中継基地局や捜索用電波を介して捜索者側へ伝送される。
捜索用電波発信手段は、無線中継基地局を介して発信指示を受けると端末側情報を重畳した小出力の捜索用電波を発信する。
放送受信手段は、無線中継基地局を介して受信指示を受けると、受信できた放送電波の周波数およびその信号レベルを取得する。
【００２９】
下記に示す様に、捜索者は、携帯端末装置を携帯した携帯者を捜索する。
捜索者は、無線中継基地局を介して携帯端末装置の放送受信手段に受信指示を出す。
携帯端末装置の放送受信手段は、受信指示を受けると、受信できた放送電波の周波数およびその信号レベルを取得する。この受信情報は、無線中継基地局を介して捜索者側に伝送される。
【００３０】
捜索者は、携帯端末装置から伝送された受信情報（放送受信手段が受信できた放送電波の周波数およびその信号レベル）を解析して、携帯端末装置の端末位置情報を得る。
【００３１】
捜索者は、端末位置情報に基づいて携帯端末装置が存在する場所に出向く。
出向く途中で、捜索者は、無線中継基地局を介して携帯端末装置と通信を行い、情報取得手段が取得した携帯者や端末周辺環境に係わる端末側情報を得る。
【００３２】
携帯端末装置が存在する場所に着くと、無線中継基地局を介して捜索者が発信指示を捜索用電波発信手段に出し、端末側情報を重畳した小出力の捜索用電波が携帯端末装置から発信される。
【００３３】
無線中継基地局を介して発信指示を受けると、捜索用電波発信手段は、端末側情報を重畳した小出力の捜索用電波を発信する。
【００３４】
捜索用電波の到来方向およびその信号強度とに基づいて、携帯端末装置を携帯した携帯者を捜索する。なお、携帯者や端末周辺環境に係わる端末側情報に基づいて携帯者側の状態を把握する。
【００３５】
携帯端末装置は、無線中継基地局を介して受信指示を受けると、受信できた放送電波の周波数およびその信号レベルを取得する放送受信手段を組み付けてあり、無線中継基地局を介して捜索者にその受信情報を伝送する構成である。
このため、捜索者は、基地局管理センターから位置情報を受けることなく、携帯端末装置の概略位置を知ることができる。
【００３６】
また、情報取得手段が取得した携帯者や端末周辺環境に係わる端末側情報を捜索者側へ伝送する構成であるので、捜索時に携帯者側の様子が判り、容易に携帯者を捜索することができる。
【００３７】
［請求項４について］
携帯者や端末周辺環境に係わる端末側情報は、携帯端末装置のマイクが捉えた音響信号、携帯端末装置のカメラが撮影する映像信号、電池残量、および携帯端末装置の収容状態の内、少なくとも一つである。
このため、探索者側に伝送された上記端末側情報に基づいて、携帯者の状態や携帯端末装置が置かれている周辺環境を探索者が把握することができる。
【００３８】
［請求項５について］
携帯端末装置は、放送電波に重畳させた起動信号を復調し、端末側情報を重畳した小出力の捜索用電波が発信可能な捜索用電波発信手段を起動信号に基づいて作動させる起動信号復調手段を携帯端末装置内に組み付けている。
このため、災害等により、無線中継基地局や公衆電話網が機能しなくなった状況下において、起動信号を重畳した放送電波が発信可能な放送局が一局でもあれば、行方不明の携帯者の携帯端末装置の捜索用電波発信手段を作動状態にすることができ、発信される端末側情報を重畳した小出力の捜索用電波に基づいて携帯者を捜索することができる。
なお、状況に応じ、行方不明の携帯者の携帯端末装置のみを起動させる個別用の起動信号を重畳してもらうか、または全ての携帯端末装置を起動させる一斉用の起動信号を放送局に重畳してもらう。
また、請求項３の携帯端末装置では、放送受信手段が起動信号復調手段を兼ねる様にしても良い。
【００３９】
【発明の実施の形態】
本発明の第１実施例に係る携帯端末装置Ａ（請求項３、４に対応）を、図１および図２に基づいて説明する。
携帯端末装置Ａは、携帯電話本体１と、放送受信器２（放送受信手段）と、取得情報変調回路３（情報取得手段）と、小電力発信器４（捜索用電波発信手段）と、制御器５とを備える。
【００４０】
携帯電話本体１は、無線中継基地局と通信を行い、公衆電話網に接続可能である。
この携帯電話本体１には、通話相手からの音声を再生するスピーカ１１と、通話相手に携帯者の音声を送るためのマイク１２と、動画や静止画が撮影可能なカメラ１３と、キーボタン（図示せず）とが電気接続されている。
【００４１】
放送受信器２は、作動用電力が供給されて作動すると、放送電波２１〜２５の受信を開始し、受信した放送電波２１〜２５の周波数とその信号レベルを格納する。
なお、携帯端末装置Ａを携帯した携帯者の現在の場所を特定する場合には、捜索者が無線中継基地局を介して携帯電話本体１と通信を行って、捜索用電波４１の発信指示と、放送電波２１〜２５の受信指示とを出す。
【００４２】
放送受信器２は、下記に示す周波数帯について、予め設定した周波数ステップでスキャンを行い、所定値以上の信号を検出すると、放送電波２１〜２５が受信できたと判定して、その周波数と信号レベルをメモリ（図示せず）に格納する。
中波帯（５３１ｋＨｚ〜１６０２ｋＨｚ；９ｋＨｚステップ）
ＦＭ帯（７６．１ＭＨｚ〜８９．９ＭＨｚ；１００ｋＨｚステップ）
ＴＶ音声帯（９５．７５ＭＨｚ〜２２１．７５ＭＨｚ＆４７５．７５ＭＨｚ〜７６９．７５ＭＨｚ；６ＭＨｚステップ
なお、格納された受信情報は、小電力発信器４の捜索用電波４１や、無線中継基地局を介して捜索者側へ伝送される。
【００４３】
取得情報変調回路３には、マイク１２、カメラ１３、および照度センサ３１が電気接続され、制御器５からの指示により作動すると、小電力発信器４の搬送波を、下記に示す端末側情報および受信情報で変調する。
（端末側情報）
マイク１２…携帯端末装置Ａの周囲の音
カメラ１３…携帯端末装置Ａの周囲の動画や静止画
照度センサ３１…携帯端末装置Ａの周囲の照度
携帯端末装置Ａの電池残量
（受信情報）
メモリに格納された放送電波２１〜２５の周波数およびその信号レベル
小電力発信器４は、作動用電力が供給されて作動すると、上記端末側情報および受信情報を重畳した小出力の捜索用電波４１を発信する。
【００４４】
放送受信器２、取得情報変調回路３、カメラ１３、および小電力発信器４への作動用電力の供給・停止を司る制御器５は、無線中継基地局を介して、放送電波２１〜２５の受信指示を受けると、作動用電力を放送受信器２に供給する。また、無線中継基地局を介して、捜索用電波４１の発信指示を受けると、作動用電力を小電力発信器４に供給する。
【００４５】
携帯端末装置Ａを携帯した携帯者の捜索は、以下の様にして行う。
（１）捜索者は、固定電話や携帯電話等を使用し、無線中継基地局を介して携帯端末装置Ａに電話し、放送受信器２に放送電波２１〜２５の受信を開始させるための受信指示と、端末側情報を得るための取得指示とを携帯端末装置Ａに出す。
なお、予め設定しておいた特定電話番号からの着信等の特殊条件で携帯端末装置Ａが無音着信（呼出音＆バイブ無し）して各指示を受ける構成が好ましい。
【００４６】
（２）携帯電話本体１が制御器５に指示し、制御器５は、放送受信器２およびカメラ１３へ作動用電力を供給する。
これにより、端末側情報（マイク１２が拾った携帯端末装置Ａの周囲の音、カメラ１３が撮影した、携帯端末装置Ａの周囲の動画や静止画、照度センサ３１による携帯端末装置Ａの周囲の照度、携帯端末装置Ａ電池残量）が無線中継基地局を介して捜索者側へ伝送される。
そして、受信情報のメモリへの格納が終了すると、受信情報（放送受信器２が受信した放送電波２１〜２５の周波数およびその信号レベル）が無線中継基地局を介して捜索者側へ伝送される。
【００４７】
（３）捜索者側は、携帯端末装置Ａから伝送される端末側情報と受信情報とを、固定電話や携帯電話等から取得して、携帯端末装置Ａを携帯した携帯者の状況や居る場所を解析する。
（携帯者の状況）
携帯者の救助要請の声や犯人達の話し声…拉致、誘拐、監禁の可能性有り
事故現場の画像や倒れている携帯者の画像…怪我や急病
携帯端末装置Ａの周囲の照度が明るい…携帯端末装置Ａが室外にある
【００４８】
（携帯者の居る場所）
例えば、受信した放送電波２１〜２５の周波数およびその信号レベルが図２の状態
解析結果：携帯端末装置Ａが存在する概略位置は、名古屋市中心部
【００４９】
（４）捜索者は、一旦、携帯端末装置Ａとの接続を切り、携帯端末装置Ａの概略位置に出向く。
必要に応じ、出向く途中で、携帯電話により、無線中継基地局を介して携帯端末装置Ａに電話し、放送受信器２に放送電波２１〜２５の受信を開始させるための受信指示と、端末側情報を得るための取得指示とを出す。これにより、最新の、携帯者の状況や居る場所の確認が行える。
【００５０】
（５）携帯端末装置Ａの概略位置に捜索者が着くと、無線中継基地局を介して携帯端末装置Ａに電話し、捜索者は、携帯電話を使用し、無線中継基地局を介して携帯端末装置Ａに電話し、取得情報変調回路３および小電力発信器４を作動させるための取得指示と発信指示とを出す。
【００５１】
これにより、携帯端末装置Ａの制御器５は、取得情報変調回路３、小電力発信器４、およびカメラ１３へ作動用電力を供給する。
これにより、端末側情報（マイク１２が拾った携帯端末装置Ａの周囲の音、カメラ１３が撮影した、携帯端末装置Ａの周囲の動画や静止画、照度センサ３１による携帯端末装置Ａの周囲の照度、携帯端末装置Ａの電池残量）を重畳した小出力の捜索用電波４１が、携帯端末装置Ａの小電力発信器４から発信される。
【００５２】
（６）捜索者は、捜索用電波４１の信号強度が計測可能な受信機と、受信機に接続され、捜索用電波４１の到来方向が探知可能な指向性アンテナとに基づいて、携帯端末装置Ａを携帯した携帯者を捜索する。なお、端末側情報に基づいて、適宜、携帯者側の状態を把握する。
【００５３】
本実施例の携帯端末装置Ａは、以下の利点を有する。
〔ア〕携帯端末装置Ａは、無線中継基地局を介して放送電波２１〜２５の受信指示を受けると、受信できた放送電波２１〜２５の周波数およびその信号レベルを取得する放送受信器２を組み付けてあり、無線中継基地局を介して捜索者にその受信情報を伝送する構成である。
このため、捜索者は、基地局管理センターから位置情報を受けることなく、携帯端末装置Ａの概略位置を知ることができる。
また、携帯者や端末周辺環境に係わる端末側情報を捜索者側へ伝送する構成であるので、捜索時に携帯者側の様子が判り、緊急事態（監禁、拉致、誘拐、事故）であっても的確に対処できる。
【００５４】
〔イ〕携帯端末装置Ａの概略位置に捜索者が着いた後に捜索者が捜索用電波４１の発信指示を出し、無線中継基地局を介して受けると、小電力発信器４が、端末側情報を重畳した小出力の捜索用電波４１を発信する構成である。
このため、電力消費が大きい、捜索用電波４１の発信時間を必要最小限に制限することができ、電池切れを防止することができる。
【００５５】
つぎに、本発明の第２実施例に係る携帯端末装置Ｂ（請求項２、４に対応）を、図３および図４に基づいて説明する。
携帯端末装置Ｂは、携帯電話本体１と、取得情報変調回路３（情報取得手段）と、小電力発信器４（捜索用電波発信手段）と、制御器５と、受信器６（発信指示取得手段）とを備え、災害現場７０等で携帯者８を捜索するのに適する。
【００５６】
携帯端末装置Ｂは、以下に示す構成が携帯端末装置Ａと異なる。
携帯端末装置Ｂには放送受信器２が配設されておらず、捜索用電波４１の発信指示を直接受けることが可能な受信器６が配設されている。
【００５７】
取得情報変調回路３、カメラ１３、および小電力発信器４への作動用電力の供給・停止を司る制御器５は、無線中継基地局７を介して発信指示を受けるか、または、受信器６から直接、発信指示を受けると、小電力発信器４、取得情報変調回路３、およびカメラ１３に作動用電力を供給する。
【００５８】
災害現場７０における、携帯端末装置Ｂを携帯した携帯者８の捜索は、以下の様にして行う。
（１）捜索者９は、指向性アンテナ９１を接続し、捜索用電波４１の到来方向が探知可能で、その信号強度が計測可能な受信部と、発信指示が出せる送信部とを備えた捜索用機器９０を携帯して災害現場７０へ出向き、発信指示を捜索用機器９０の送信部から携帯端末装置Ｂに出す。
【００５９】
（２）携帯端末装置Ｂの受信器６が発信指示を受けると、携帯端末装置Ｂの制御器５は、取得情報変調回路３、小電力発信器４、およびカメラ１３へ作動用電力を供給する。
これにより、端末側情報（マイク１２が拾った携帯端末装置Ｂの周囲の音、カメラ１３が撮影した、携帯端末装置Ｂの周囲の動画や静止画、照度センサ３１による携帯端末装置Ｂの周囲の照度、携帯端末装置Ｂの電池残量）を重畳した小出力の捜索用電波４１が、携帯端末装置Ｂの小電力発信器４から発信される。
【００６０】
（３）捜索者９は、捜索用電波４１の信号強度を確認しながら指向性アンテナ９１を回して捜索用電波４１の到来方向を調べ、携帯端末装置Ｂを携帯した携帯者８を捜索する。
【００６１】
（４）同時に、捜索者９は、携帯端末装置Ｂから発信される捜索用電波４１の端末側情報を取得して、携帯端末装置Ｂを携帯した携帯者８の状況を解析する。
（携帯者８の状況）
携帯者８の救助要請の声…緊急の救助を要請している
被災現場の画像や倒れている携帯者８の画像…怪我の状態
携帯端末装置Ｂの周囲の照度が暗い…照明が消えた室内
【００６２】
本実施例の携帯端末装置Ｂは、以下の利点を有する。
〔ウ〕携帯端末装置Ｂは、捜索用電波４１の発信指示を直接受けることが可能な受信器６が組み付けられ、発信指示を直接、受けると小電力発信器４が端末側情報を重畳した小出力の捜索用電波４１を発信する構成である。
このため、災害等で無線中継基地局７や公衆電話網が機能しなくなった状況下でも、携帯端末装置Ｂから捜索用電波４１を発信させることができ、携帯者８の捜索が可能である。
【００６３】
〔エ〕携帯端末装置Ｂは、取得情報変調回路３が取得した携帯者８や端末周辺環境に係わる端末側情報を捜索者９側へ伝送する構成であるので、捜索時に携帯端末装置Ｂを携帯した携帯者８の様子が判り、一刻を争う状態であっても的確に対処できる。
【００６４】
〔オ〕携帯端末装置Ｂに直接、発信指示を出すと、小電力発信器４が、端末側情報を重畳した小出力の捜索用電波４１を発信する構成である。
このため、電力消費が大きい、捜索用電波４１の発信時間を必要最小限に制限することができ、電池切れを防止することができる。
【００６５】
つぎに、本発明の第３実施例に係る携帯端末装置Ｂ（請求項１、４に対応）を、図５および図６に基づいて説明する。
携帯端末装置Ｃは、携帯電話本体１と、取得情報変調回路３（情報取得手段）と、小電力発信器４（捜索用電波発信手段）と、制御器５とを備える。
【００６６】
携帯端末装置Ｃは、以下に示す構成が携帯端末装置Ａと異なる。
携帯電話本体１は、固有の機体番号１０を持ち、複数の無線中継基地局７１〜７３から良好な通信状態が得られる無線中継基地局７１を選択して通信を行い、公衆電話網に接続可能なＰＨＳである。
また、携帯端末装置Ｃには放送受信器２が配設されていない。
【００６７】
取得情報変調回路３、カメラ１３、および小電力発信器４への作動用電力の供給・停止を司る制御器５は、無線中継基地局７１を介して捜索用電波４１の発信指示を受けると、小電力発信器４、取得情報変調回路３、およびカメラ１３に作動用電力を供給する。
【００６８】
携帯端末装置Ｃを携帯した携帯者の捜索は、以下の様にして行う。
（１）携帯者を捜索する場合、専用回線や固定電話９２を使用して、捜索者９が、複数の無線中継基地局７１〜７３を管理する基地局管理センター７４に携帯端末装置Ｃの機体番号１０を知らせ、携帯端末装置Ｃがどのサービスエリア７５〜７７にいるのかを示す位置登録情報を基地局管理センター７４から提供してもらう。
なお、位置登録情報が捜索者９に提供される旨を、携帯者、捜索者９、および基地局管理センター７４間で予め契約しておく。
【００６９】
（２）捜索者９は、基地局管理センター７４から提供された位置登録情報に基づいてサービスエリア７５に出向く。
出向く途中で、捜索者９は、無線中継基地局７１を介して携帯端末装置Ｃに電話をかけ、端末側情報を得るための取得指示を携帯端末装置Ｃに出す。
なお、予め設定しておいた特定電話番号からの着信等の特殊条件で携帯端末装置Ｃが無音着信（呼出音＆バイブ無し）して各指示を受ける構成が好ましい。
【００７０】
（３）携帯電話本体１が制御器５に指示し、制御器５は、カメラ１３へ作動用電力を供給する。
これにより、端末側情報（マイク１２が拾った携帯端末装置Ｃの周囲の音、カメラ１３が撮影した、携帯端末装置Ｃの周囲の動画や静止画、照度センサ３１による携帯端末装置Ｃの周囲の照度、携帯端末装置Ｃの電池残量）が無線中継基地局７１を介して捜索者９側へ伝送される。
【００７１】
（４）捜索者９は、携帯端末装置Ｃから伝送される端末側情報を携帯電話から取得して、携帯端末装置Ｃを携帯した携帯者の状況を把握する。なお、状況を把握したら、携帯端末装置Ｃの電池消耗を防止するため、一旦、携帯端末装置Ｃとの接続を断つ。
（携帯者の状況）
携帯者のわめき声…泥酔や徘徊の可能性有り
変化する画像…携帯者が移動している
携帯端末装置Ｃの周囲の照度が変化する…携帯者が移動している
【００７２】
（５）サービスエリア７５に捜索者９が着くと、携帯電話を使用して、無線中継基地局７１を介して携帯端末装置Ｃに電話し、取得情報変調回路３および小電力発信器４を作動させるための取得指示と発信指示とを出す。
【００７３】
これにより、携帯端末装置Ｃの制御器５は、取得情報変調回路３、小電力発信器４、およびカメラ１３へ作動用電力を供給する。
これにより、端末側情報（マイク１２が拾った携帯端末装置Ｃの周囲の音、カメラ１３が撮影した、携帯端末装置Ｃの周囲の動画や静止画、照度センサ３１による携帯端末装置Ｃの周囲の照度、携帯端末装置Ｃの電池残量）を重畳した小出力の捜索用電波４１が、携帯端末装置Ｃの小電力発信器４から発信される。
【００７４】
（６）捜索者９は、捜索用電波４１の信号強度が計測可能な受信機と、受信機に接続され、捜索用電波４１の到来方向が探知可能な指向性アンテナとに基づいて、携帯端末装置Ｃを携帯した携帯者を捜索する。なお、端末側情報に基づいて、適宜、携帯者側の状態を把握する。
【００７５】
本実施例の携帯端末装置Ｃは、以下の利点を有する。
〔カ〕携帯端末装置Ｃは、取得情報変調回路３に入力される、携帯者や端末周辺環境に係わる端末側情報が、無線中継基地局７１〜７３や捜索用電波４１を介して捜索者側へ伝送される構成であるので、捜索時に携帯者側の様子が判り、容易に携帯者を捜索することができる。
【００７６】
〔キ〕サービスエリア７５に捜索者９が着いた後に、捜索者９が捜索用電波４１の発信指示を出し、小電力発信器４が、端末側情報を重畳した小出力の捜索用電波４１を携帯端末装置Ｃが発信する構成である。
このため、電力消費が大きい、捜索用電波４１の発信時間を必要最小限に制限することができ、電池切れを防止することができる。
【００７７】
本発明は、上記実施例以外に、つぎに示す実施態様を含む。
ａ．第１〜第３実施例の携帯端末装置Ａ〜Ｃにおいて、放送電波（ＡＭ、短波、ＦＭ、ＴＶ電波）に重畳させた起動信号を復調し、端末側情報を重畳した小出力の捜索用電波４１が発信可能な小電力発信器４を起動信号に基づいて作動させる起動信号復調手段を、携帯端末装置Ａ〜Ｃ内に組み付けても良い（請求項５に対応）。
【００７８】
この場合、災害等により、無線中継基地局７、７１〜７３や公衆電話網が機能しなくなった状況下において、起動信号を重畳した放送電波２１〜２５が発信可能な放送局が一局でもあれば、行方不明の携帯者の携帯端末装置Ａ〜Ｃの小電力発信器４を作動状態にすることができ、発信される端末側情報を重畳した小出力の捜索用電波４１に基づいて携帯者を捜索することができる。
なお、状況に応じ、行方不明の携帯者の携帯端末装置Ａ〜Ｃのみを起動させる個別用の起動信号を重畳してもらうか、または全ての携帯端末装置Ａ〜Ｃを起動させる一斉用の起動信号を放送局に重畳してもらう。
また、第１実施例の携帯端末装置Ａでは、放送受信器２が起動信号復調手段を兼ねるのが好ましい。
【００７９】
ｂ．第３実施例の携帯端末装置Ｃ、または携帯端末装置Ｃ内に起動信号復調手段を組み付けたＰＨＳ式の携帯端末装置では、小電力発信器４を、携帯電話本体１のトランシーバ機能で構成しても良い（請求項１、４に対応）。
【図面の簡単な説明】
【図１】本発明の第１実施例に係る携帯端末装置の構造を示すブロック図である。
【図２】携帯端末装置の放送受信器が受信した放送電波の周波数と信号レベルの一例を示す説明図である。
【図３】本発明の第２実施例に係る携帯端末装置の構造を示すブロック図である。
【図４】その携帯端末装置を災害現場で捜索する様子を示す説明図である。
【図５】本発明の第３実施例に係る携帯端末装置の構造を示すブロック図である。
【図６】各無線中継基地局のサービスエリアを示す説明図である。
【符号の説明】
Ａ、Ｂ、Ｃ  携帯端末装置
２  放送受信器（放送受信手段）
３  取得情報変調回路（情報取得手段）
４  小電力発信器（捜索用電波発信手段）
６  受信器（発信指示取得手段）
７、７１、７２、７３  無線中継基地局
１０  機体番号
４１  捜索用電波
７４  基地局管理センター
【図１】
2004282553.tif 000003
【図２】
2004282553.tif 000004
【図３】
2004282553.tif 000005
【図４】
2004282553.tif 000006
【図５】
2004282553.tif 000007
【図６】
2004282553.tif 000008